(57)【要約】本発明のディスペンサー容器は、内容物を保存する容器２と、この容器２の上端に結合されて内容物をポンピングするディスペンサーキャップ１０と、このディスペンサーキャップ１０の上側に乗降可能に結合され、一側にノズル２２が形成されたボタン２０と、前記容器２を取り囲む外筒体３０を含むディスペンサーにおいて、前記外筒体３０の上端部にはその上端の高さがそれぞれ異なり、各下端部が互いに連結されている複数個の螺旋孔３２が形成され、各螺旋孔３２の上端には水平延長孔３４が形成され、この外筒体３０の上端には内周面に上下方向のガイド溝４２が形成された中空回転体４０が回転可能に結合され、前記ディスペンサーキャップの外周面には前記螺旋孔３２を通過してガイド溝４２と結合するガイド突起１１が形成されて構成されており、前記中空回転体４０を外筒体３０に対して両側に回転させると、前記ディスペンサーキャップのガイド突起１１が前記螺旋孔３２とガイド溝４２により乗降して前記各水平延長孔３４に位置し、ボタン２０の下降距離が調節されることによって内容物の吐出量が調節される。【選択図】図３
2009543742.tif 000002
【特許請求の範囲】
【請求項１】
内容物を保存する容器（２）と、この容器（２）の上端に結合されて内容物をポンピングするディスペンサーキャップ（１０）と、このディスペンサーキャップ（１０）の上側に乗降可能に結合され、一側にノズル（２２）が形成されたボタン（２０）と、前記容器（２）を取り囲む外筒体（３０）を含むディスペンサーにおいて、
前記外筒体（３０）の上端部にはその上端の高さがそれぞれ異なり、各下端部が互いに連結されている複数個の螺旋孔（３２）が形成され、各螺旋孔（３２）の上端には水平延長孔（３４）が形成され、この外筒体（３０）の上端には内周面に上下方向のガイド溝（４２）が形成された中空回転体（４０）が回転可能に結合され、前記ディスペンサーキャップの外周面には前記螺旋孔（３２）を通過してガイド溝（４２）と結合するガイド突起（１１）が形成されて構成されており、前記中空回転体（４０）を外筒体（３０）に対して両側に回転させると、前記ディスペンサーキャップのガイド突起（１１）が前記螺旋孔（３２）とガイド溝（４２）により乗降して前記各水平延長孔（３４）に位置し、ボタン（２０）の下降距離が調節されることによって内容物の吐出量が調節されることを特徴とするディスペンサー容器。
【発明の詳細な説明】
【技術分野】
【０００１】
本発明は、ディスペンサー容器に関し、より詳細には、内容物の吐出量を簡単に調節することができる、使用が便利なディスペンサー容器に関する。
【背景技術】
【０００２】
一般的に、液状またはペースト状の化粧品やその他の内容物を空気の圧力により所定の量を吐出させて使用するディスペンサー容器は、大きく分けて、ディープチューブにより内容物を吸い込んで吐出し、容器内にはそれだけの空気が流入するディープチューブ方式と、容器内部が真空状態となることによってピストンが上昇し、内容物を押し上げるエアレス方式がある。
【０００３】
図１は、従来のエアレス方式のディスペンサー容器の例を示すもので、図示するように、内容物を保存する容器２と、この容器２の上端に結合されて容器２に保存される内容物をポンピングするディスペンサーキャップ１０と、このディスペンサーキャップ１０の上方に突出するように備えられ、乗降可能に結合され、一側に形成されたノズル２２にポンピングされた内容物を吐出させるボタン２０と、このボタン２０とディスペンサーキャップ１０を覆うためのオーバーキャップ６とで構成されている。
【０００４】
ここで、前記ディスペンサーキャップ１０の内部には、容器２に充填された内容物まで下向きに延びるシリンダー１２と、前記ボタン２０の下部のステム２４に連結され、シリンダー１２の内部で乗降動作して真空圧を発生させて、シリンダー１２に流入する内容物を外部に吐出させる一側に通孔１３が形成され、一端部が開放された中空シャフト１４及びシールキャップ１６がそれぞれ備えられる。また、前記シリンダー１２の下端部に金属材で形成されるボールバルブ１８により開閉される流入口１２ａが形成され、この流入口１２ａと中空シャフト１４の間には、中空シャフトを上向きに支持するスプリング１９が介在される。説明のない符号１は、容器２の内部に備えられて真空圧によって上昇するピストンである。
【０００５】
そして、前記ディスペンサー容器は、使用者が前記オーバーキャップ６を容器２から分離した後、前記ボタン２０を押すと、ピストン１が内容物を加圧し、内容物が吐出される。一方、使用者は、多量の内容物を必要としたり、少量の内容物を必要とする場合がある。すなわち、必要に応じて内容物を調節したい場合にも、前記ボタン２０を押すと、前記ピストン１が一定距離を下降して一定量の内容物が吐出される。ところが、使用者がボタン２０を押すとき、ピストン１の下降距離を一定に維持することは事実上不可能であるので、内容物の吐出量を調節することは難しい。
【発明の開示】
【発明が解決しようとする課題】
【０００６】
そこで、本発明の目的は、内容物を便利に吐出でき、且つ、その吐出量を簡単に調節できるとともに、部品の紛失も防止できるディスペンサー容器を提供することである。
【課題を解決するための手段】
【０００７】
本発明は、吐出量を簡単に調節可能にするために、内容物を吐出させるピストンの動作距離を調節できるようにしたものである。
【０００８】
本発明の特徴によれば、内容物を保存する容器２と、この容器２の上端に結合されて内容物をポンピングするディスペンサーキャップ１０と、このディスペンサーキャップ１０の上側に乗降可能に結合され、一側にノズル２２が形成されたボタン２０と、前記容器２を取り囲む外筒体３０を含むディスペンサー容器において、前記外筒体３０の上端部には上端の高さがそれぞれ異なり、各下端部が互いに連結されている複数個の螺旋孔３２が形成され、各螺旋孔３２の上端には水平延長孔３４が形成され、この外筒体３０の上端には内周面に上下方向のガイド溝４２が形成された中空回転体４０が回転可能に結合され、前記ディスペンサーキャップの外周面には前記螺旋孔３２を通過してガイド溝４２と結合するガイド突起１１が形成されて構成されており、前記中空回転体４０を外筒体３０に対して両側に回転させると、前記ディスペンサーキャップ１０のガイド突起１１が前記螺旋孔３２とガイド溝４２により乗降及び下降して前記各水平延長孔３４に位置し、ボタン２０の下降距離が調節されることで、内容物の吐出量を調節できることを特徴とするディスペンサー容器を提供する。
【発明の効果】
【０００９】
内容物を便利に吐出でき、かつ、その吐出量を簡単に調節できるとともに、部品の紛失も防止することができる。
【発明を実施するための最良の形態】
【００１０】
本発明の目的、特徴、ならびにその他の利点は、以後の詳細な説明からより明らかに理解できるであろう。添付した図面を参照して、本発明の実施形態を詳細に説明する。
【００１１】
図２乃至図５に示すように、本発明のディスペンサーは、内容物を保存する容器２と、この容器２の上端開口部に結合されて内容物をポンピングするディスペンサーキャップ１０と、このディスペンサーキャップ１０の上側に乗降可能に結合され、一側にはノズル２２が形成された二重管形態のボタン２０で構成されており、前記ディスペンサーキャップ１０の内部には、容器２の内部に下向きに延び、その底面には流入口１２ａが形成されるシリンダー１２と、前記ボタン２０の下部のステム２４に連結されてシリンダー１２の内部で乗降動作する中空回転体４０及びシールディスペンサーキャップ１６と、前記シリンダー１２の流入口１２ａを開閉するボールバルブ１８と、前記流入口１２ａと中空シャフト１４に介在されて中空シャフト１４、シールディスペンサーキャップ１６及びボタン２０を上向きに支持するスプリング１９と、容器２内に備えられて真空圧によって上昇するピストン１を含む構成は従来と同様である。
【００１２】
ここで、前記容器２の上端のディスペンサーキャップ１０の周囲部は、１対のガイド突起１を備えており、このガイド突起１１は、後で述べるガイド溝４２及び螺旋孔３２に沿って乗降することによって容器２を乗降及び下降させるように構成されている。
【００１３】
なお、前記容器２の外側には、該容器２を乗降可能に取り囲む外筒体３０を備える。この外筒体３０の上端部には複数個の螺旋孔３２が形成されているが、本実施例においては、２つの螺旋孔３２がそれぞれの下端で互いに連結され、上方に向かうほど２つの螺旋孔３２が互いに離れるように傾斜して形成され、ほぼＶ字状となっている。しかし、この形状に限定されるわけではない。ここで、前記２つの螺旋孔３２の上端の高さがそれぞれ異なるように構成され、また、各螺旋孔３２の上端には、水平方向に延びている水平延長孔３４が形成され、この水平延長孔３４にディスペンサーキャップ１０のガイド突起１１が位置すると、ボタン２０動作時、ディスペンサーキャップ１０が螺旋孔３２に沿って下降することを防止するようになり、そのため、容器２がその位置に固定される。従って、使用者がボタン３２を押すことにより内容物が吐出される。
【００１４】
また、前記ディスペンサーキャップ１０のガイド突起１１は、前記外筒体３０の螺旋孔３２を通過して中空回転体４０のガイド溝４２にスライド可能に結合されることで、使用者が前記中空回転体４０を回転させると、前記ガイド突起１１は、外筒体３０の螺旋孔３２に沿って乗降して容器２が回転されることなく乗下降するように案内する。
【００１５】
説明しない符号４６は、前記中空回転体４０を回転させることによってボタン２０のノズル２２を中空回転体４０に容易に収納するための溝である。
【００１６】
このように構成される本発明のディスペンサー容器は、使用者が前記中空回転体４０を回転させることにより、前記ディスペンサーキャップ１０のガイド突起１１が各螺旋孔３２とガイド溝４２に沿って乗降及び下降しながら、該ディスペンサーキャップ１０に結合される容器２及びボタン２０を乗降及び下降させ、前記ボタン２０の上端のノズル２２が中空回転体４０からそれぞれ異なる高さで上向きに突出される。
【００１７】
次に、図３を参照すれば、使用者がより多量の内容物を吐出しようとする場合には、中空回転体４０を一側、すなわち、水平延長孔３４が相対的に高く形成された螺旋孔３２側に回転させてボタン２０を上向きに突出させる。この際、ガイド突起１１が前記水平延長孔３４に位置し、容器２がその位置に固定され、前記ボタン２０は、中空回転体４０からより大きく上向きに突出され、使用者は、突出したボタン２０を押して内容物を吐出させるが、ボタン３２の下降距離が相対的に長くなったため、内容物が多く吐出される。
【００１８】
また、使用者が相対的に少量を吐出しようとする場合には、使用者は、前記中空回転体４０を他側、すなわち、水平延長孔３４が相対的に低く形成された螺旋孔３２側に回転させてボタン２０を上方に突出させる。この際、ガイド突起１１が前記水平延長孔３４に位置し、容器２がその位置に固定され、ボタン２０は、前述の場合に比べて相対的に中空回転体４０から少なく上方突出されており、使用者は、突出したボタン２０を押して内容物を吐出させるが、ボタン２０の下降距離が上述の場合より相対的に短くなり、内容物が相対的に少なく吐出される。
【００１９】
従って、前記外筒体３０に上端の高さが互いに異なり、各下端が互いに連結されるように複数個の螺旋孔３２を形成し、各螺旋孔３２の上端に互いに異なる水平延長孔３４を形成することで、使用者が前記中空回転体４０を両側に回転させることによってボタン２０の下降距離が調節され、内容物の吐出量を調節できるという効果がある。
【００２０】
次いで、ディスペンサー容器から内容物を吐出させた後、中空回転体４０を一定の角度で回転させてボタン２０が中空回転体４０に簡単に収納できるようにし、従来のオーバーディスペンサーキャップを分離したり結合することに比べて使用が簡単、かつ、便利である。また、従来ではオーバーディスペンサーキャップを分離して使用するため、オーバーディスペンサーキャップの紛失のおそれがあったが、この発明では、そのようなオーバーディスペンサーキャップなどの部品を紛失するおそれはない。
【００２１】
一方、この実施例においては、２つの螺旋孔３２が下端で互いに連結された形態が示されているが、必要に応じて、３つ以上の螺旋孔３２が上端または下端やその中間部が互いに連結された形態であってもよい。
【００２２】
尚、本発明は、上述の実施例に限られるものではない。本発明の技術的範囲から逸脱しない範囲内で多様に変更実施することが可能である。
【産業上の利用可能性】
【００２３】
以上のように、本発明によれば、前記外筒体３０にその上端または下端が連結されるように、複数個の螺旋孔３２を形成し、各螺旋孔３２に互いに高さが異なる水平延長孔３４を形成することで、ディスペンサーキャップ１０のガイド突起１１が水平延長孔３４に位置して容器２が固定されるので、ボタン２０及びこのボタン２０によって下降するピストン１の下降距離を調節できるようになり、内容物の吐出量を簡単に調節することができるという効果がある。
【００２４】
一方、内容物を吐出させた後、中空回転体４０を他側に回転させると、ボタン２０が中空回転体４０の内部に収納されるように構成し、使用が簡単、かつ、便利であるとともに、部品を分離して使用しないため、部品の紛失のおそれがないディスペンサー容器を提供できる。
【図面の簡単な説明】
【００２５】
【図１】従来のディスペンサー容器の一例を示す断面図である。
【図２】本発明によるディスペンサー容器の一実施例を示す斜視図である。
【図３】前記実施例の分解斜視図である。
【図４】前記実施例におけるボタンが突出した状態を示す断面図である。
【図５】前記実施例におけるボタンが収納された状態を示す断面図である。
【図１】
2009543742.tif 000003
【図２】
2009543742.tif 000004
【図３】
2009543742.tif 000005
【図４】
2009543742.tif 000006
【図５】
2009543742.tif 000007
【国際調査報告】
2009543742.tif 000008
2009543742.tif 000009